Podtech/llm-jp-corpus-v4-ja_patent huggingface dataset:
【手続補正書】
【提出日】平成18年4月19日(2006.4.19)
【手続補正１】
【補正対象書類名】明細書
【補正対象項目名】０００９
【補正方法】変更
【補正の内容】
【０００９】
本発明では、最初、測定対象となる歯牙表面に2つのプローブを、歯根部方向に加圧プローブが来るように配置し、それと直線上に配置された接触プローブを歯牙に接触させ、その際生じる、両プローブ間の距離を基準距離とする。
この状態で、例えば歯牙を押すような力を加圧プローブに加える。その際の加圧量は、予め歯牙の状況を観察し、加えられると推測される力の範囲で加圧する。
例えば、歯周病が進行しているようであれば、より弱い加圧を行う。
この加圧により、歯牙は、おおよそ歯頚部付近（図２×印）を中心として回転するように揺動するが、その揺動状態で、歯牙から離れた接触プローブを移動させて、再び接触プローブを接触させる。この接触は、手動によって行われる他、バネ、ゴム等の弾力性部材を付加して、常に歯牙表面に接触する程度の力を加えさせる構造をとってもよい。
この状態で、図3で示すように、移動距離Ｌ2と、両プローブ間の距離Ｌ1とから揺動角度Ｓ1が得られる。
この揺動角度Ｓ1が加えた圧力に比べ、大きくなると、歯牙の動揺度が大きくなる。又、圧力値を一定にした動揺度の測定を可能とし、定量的な測定が可能となる
本発明では、歯牙に加える圧力、変位量(移動距離)Ｌ２、両プローブ間の距離Ｌ１及び、揺動角Ｓ１が数値的に得られるが、これらは何れも、目視以外の物理的測定によりデータ化して、コンピュータ処理ができる。
【手続補正２】
【補正対象書類名】明細書
【補正対象項目名】００１２
【補正方法】変更
【補正の内容】
【００１２】
次に、圧力測定器11を中心に、加圧プローブ17で歯牙Ｈを押す。
加圧プローブ17により、押圧された歯牙は、歯根部を中心にして、揺動し、接触プローブ16の歯牙との接触は、解除されことから、接触プローブ16を移動させて、再び歯牙に接触するようにする。（図2（ｂ））
その際の、両プローブ間の距離Ｌ1と、移動距離Ｌ2から揺動角度Ｓ1が
Ｓ1=tan-1(L2/L1)
で求められる。
本実施例では、歯根に近い部分を加圧したが、これを逆にして、歯牙の先端方向を加圧プローブ１７により加圧しても、同様の歯牙動揺度が測定可能である。
【手続補正３】
【補正対象書類名】図面
【補正対象項目名】図２
【補正方法】変更
【補正の内容】
【図２】
2004305648.tif 000001
【手続補正４】
【補正対象書類名】図面
【補正対象項目名】図３
【補正方法】変更
【補正の内容】
【図３】
2004305648.tif 000002
【手続補正５】
【補正対象書類名】明細書
【補正対象項目名】特許請求の範囲
【補正方法】変更
【補正の内容】
【特許請求の範囲】
【請求項１】歯牙に接触し圧力を付加する為の第１のプローブ、歯牙に追従的に接触する第2のプローブ、前記第１のプローブが、歯牙に圧力を付加した際の歯牙の移動より、前記第1のプローブと前記第2のプローブの相対的な移動を測定する移動測定部よりなる歯牙動揺測定器。
【請求項２】
前記第1のプローブが歯牙を圧力を付加した際、前記第1のプローブと前記第2の  プローブの相対的な移動距離と、前記第1のプローブと前記第2のプローブの間隔から、歯牙の動揺移動角を求めると共に前記第1のプローブの付加圧力を計測する計測部を具えた請求項１に記載の歯牙動揺測定器。
【請求項３】前記動揺移動角Ｓ1が、前記両プローブ間隔距離Ｌ1と、前記移動距離Ｌ2から、
Ｓ1=ｔａｎ−1（Ｌ２／Ｌ１）
で求められる請求項２に記載の歯牙動揺測定器。
【手続補正書】
【提出日】平成18年4月6日(2006.4.6)
【手続補正１】
【補正対象書類名】明細書
【補正対象項目名】特許請求の範囲
【補正方法】変更
【補正の内容】
【特許請求の範囲】
【請求項１】  撮像レンズとその像面に配置された撮像素子とからなる撮像ユニットが複数個２次元的に並列されてなり、各撮像ユニットの光軸を撮像位置にある共通の物点と各撮像レンズの中心を通る軸とするとき、各撮像ユニットの光軸に沿った方向に被写体を照明する照明装置を備えていることを特徴とする撮像装置。
【請求項２】  前記照明装置は、前記の各撮像ユニットの撮像素子あるいは撮像レンズの周辺から被写体を照明するものであることを特徴とする請求項１記載の撮像装置。
【請求項３】  前記照明装置は、前記の各撮像ユニットの撮像素子の背後に配置された共通の光源からなることを特徴とする請求項２記載の撮像装置。
【請求項４】  前記照明装置は、前記の各撮像ユニット個々に配置された光源からなることをと特徴とする請求項２記載の撮像装置。
【請求項５】  前記照明装置は、前記の各撮像ユニットの光軸と同軸に照明光を照射するものからなることを特徴とする請求項１記載の撮像装置。
【請求項６】  前記撮像レンズは相互に並列して一体に取り付けられたレンズアレイとして構成されていることを特徴とする請求項１から５の何れか１項記載の撮像装置。
【請求項７】  前記レンズアレイは一体に面の法線方向に位置調節可能に配置されていることを特徴とする請求項６記載の撮像装置。
【請求項８】  前記レンズアレイは一体に面内の直交する２方向に位置調節可能に配置されていることを特徴とする請求項６又は７記載の撮像装置。
【請求項９】  前記の各撮像ユニットの撮像素子は光軸上にその中心が略一致するように配置されていることを特徴とする請求項１から８の何れか１項記載の撮像装置。
【請求項１０】  隣接する前記撮像ユニットの撮像レンズ間の間隔よりも、撮像素子間の間隔が大きくなるように撮像レンズと撮像素子が配置されていることを特徴とする請求項１から９の何れか１項記載の撮像装置。
【請求項１１】  前記複数個の撮像ユニットに属する撮像レンズと撮像素子とは少なくとも１方向で前記共通の物点に対して凹面形状に湾曲した曲面上に並列して配置されていることを特徴とする請求項１から１０の何れか１項記載の撮像装置。
【請求項１２】請求項１から１１の何れか１項記載の撮像装置であって、前記の各撮像ユニットにより、物点位置に位置する認証対象の個人の瞳の像を含む画像を同時に撮像する撮像装置と、前記撮像装置で撮像された画像各々から認証対象の個人の瞳の像を切り出し、その切り出した瞳の像を画素として前記撮像ユニットの配列に対応させて並べて眼底像を合成する眼底像合成部と、合成された眼底像からその特徴を表すデータを抽出するデータ生成部と、抽出されたデータと別に記憶されているデータとを比較判定する識別部とを備えていることを特徴とする個人認証装置。
【手続補正書】
【提出日】平成18年8月17日(2006.8.17)
【手続補正１】
【補正対象書類名】明細書
【補正対象項目名】特許請求の範囲
【補正方法】変更
【補正の内容】
【特許請求の範囲】
【請求項１】  
遊技媒体を払い出す払出手段と、前記払出手段に遊技媒体を供給する供給通路とを備えた遊技機において、
遊技媒体が流下する方向に対して前記供給通路を複数個に分割形成し、
分割形成された供給通路の少なくとも一つに刺激を付与するように応力を発生する応力発生手段を備えることを特徴とする遊技機。
【請求項２】  
請求項１に記載の遊技機において、
遊技媒体が流下する方向に対して前記供給通路を上流側と下流側とに分割形成し、
前記遊技機の外部から供給された遊技媒体を貯留する貯留手段を備え、
前記貯留手段に貯留された遊技媒体が前記供給通路に流下するように、貯留手段と上流側の供給通路とを連通接続し、
上流側の供給通路に刺激を付与するように前記応力発生手段を設けることを特徴とする遊技機。
【請求項３】  
請求項１に記載の遊技機において、
前記供給通路を、遊技媒体が流下する方向に対して、上流側から順に、下流側に向けて緩やかに傾斜する第１供給通路と、鉛直方向の縦向きの第２供給通路とで形成しており、
遊技媒体が流下する方向に対して前記第１供給通路を複数個に分割形成し、
分割形成された第１供給通路の最下流端と前記第２供給通路とを連結形成し、
分割形成された第１供給通路のうちの下流側のものに前記応力発生手段を備える
ことを特徴とする遊技機。
【請求項４】  
請求項１に記載の遊技機において、
分割形成された前記供給通路のうち、遊技媒体が流下する方向に対する長さが短い方に刺激を付与するように前記応力発生手段を設けることを特徴とする遊技機。
【請求項５】  
請求項１に記載の遊技機において、
前記応力発生手段から応力を発生して刺激が付与される方の前記供給通路を、遊技媒体が流下する方向に対する端部の一方で上下に変位可能に支持し、他方で固定して支持する
ことを特徴とする遊技機。
【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】  遊技領域が形成される遊技盤を遊技機本体に備えるとともに、制御装置により作動が制御される遊技機において、
前記遊技盤の裏面側に台座部材を取り付けるとともに、該台座部材に前記制御装置を搭載し、
前記遊技盤を前記遊技機本体から取り外した状態では、前記制御装置が床面に接触することなく前記遊技盤の下端部と前記台座部材の下端部とが前記床面に接触することにより前記遊技盤が自立するように構成したことを特徴とする遊技機。
【請求項２】  前記台座部材の前記制御装置が搭載される搭載面の裏面には、該搭載面を補強する補強部が設けられていることを特徴とする請求項１に記載の遊技機。
【請求項３】  前記台座部材の下端には、遊技機後方に向かって延びる突出部が形成されており、前記遊技盤を前記遊技機本体から取り外した状態では、前記遊技盤の下端と前記突出部とが床面に接触することにより前記遊技盤が自立することを特徴とする請求項１又は請求項２に記載の遊技機。
【請求項４】  前記突出部の開放端部には、遊技機後方に向かって延びる突出片が形成されており、前記遊技盤を前記遊技機本体から取り外した状態では、前記遊技盤の下端と前記突出片とが床面に接触することにより前記遊技盤が自立することを特徴とする請求項３に記載の遊技機。
【請求項５】  前記突出片は、前記台座部材に装着される前記制御装置と係止可能な構造を有することを特徴とする請求項４に記載の遊技機。
【請求項６】  前記台座部材に装着される前記制御装置は、前記遊技盤又は前記遊技機本体に設けられた他の制御装置又は部材と、電気配線を通じて電気的に接続される構成となっており、前記制御装置に設けられる電気接続部材は、前記制御装置の下面を除いた面に設けられていることを特徴とする請求項１乃至請求項５のいずれかに記載の遊技機。
【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】  各種遊技部品が設けられており少なくとも２部材から構成される遊技機本体と、その遊技機本体の前面側を覆うように且つ開閉可能に配置された前面扉とを備え、前記遊技機本体及び前面扉の一側部には遊技機本体に対して前面扉を開閉可能に支持する支持機構を設け、遊技機本体の他側部には前面扉が閉状態時に施錠する施錠装置と、該施錠装置の周辺を覆う錠飾り部材とを設けた遊技機において、
前記錠飾り部材の一端部が前記遊技機本体に係止され、他端部が前記遊技機本体を構成する少なくとも２部材に挟持されることにより、前記錠飾り部材が前記遊技機本体に対して取り付けられるよう構成したことを特徴とする遊技機。
【請求項２】  前記錠飾り部材の前記一端部には前記遊技機本体と係止可能な係止部が備えられ、前記他端部には前記遊技機本体の構成部材に挟持される被挟持部が備えられており、前記遊技機本体の構成部材には、前記係止部と係止可能な本体側係止部と、前記被挟持部を挟持可能な挟持部とが備えられていることを特徴とする請求項１に記載の遊技機。
【請求項３】  前記被挟持部は、前記挟持部と係止可能な構造を有していることを特徴とする請求項２に記載の遊技機。
【請求項４】  前記係止部及び前記被挟持部は、前記錠飾り部材に対して突出形成されており、前記本体側係止部及び前記挟持部は、前記係止部及び前記被挟持部を受入可能に形成されていることを特徴とする請求項２又は請求項３に記載の遊技機。
【請求項５】  前記挟持部は、前記遊技機本体と前記錠飾り部材とを組み付けたときに、前記錠飾り部材のがたつきを抑制するがたつき防止機能を備えていることを特徴とする請求項３又は請求項４に記載の遊技機。
【請求項６】  前記係止部及び前記被挟持部は、前記錠飾り部材の前記一端部及び前記他端部を通る中心線（上下方向の中心線）に対して、該中心線と交差する方向（左右）に振り分けて形成されていることを特徴とする請求項２乃至請求項５のいずれかに記載の遊技機。
【請求項７】  前記遊技機本体は遊技領域を形成する遊技盤を備えており、前記錠飾り部材は、前記遊技領域の最大幅となる部位より下方に設けられていることを特徴とする請求項１乃至請求項６のいずれかに記載の遊技機。
【請求項８】  前記錠飾り部材を挟持する遊技機本体の一方の構成部材は、操作手段を備え、前面扉の下方に位置するよう構成された前面板であり、他方の構成部材は、前記前面板が組み付けられ、前記遊技盤を備えた本体枠であることを特徴とする請求項７に記載の遊技機。
【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】    超音波振動子と、この超音波振動子を保持するハウジングと、このハウジングに回転運動を伝達するフレキシブルシャフトと、このフレキシブルシャフトの外面を覆うシースと、上記ハウジング及び上記フレキシブルシャフトを含む回転部分と上記シースを回転自在に接続する軸受機構とを備えた体腔内挿入型の超音波プローブにおいて、
上記軸受機構の内側回転部は上記ハウジングと一体に構成され、上記軸受機構の外側支持部材は上記シースを熱加工して形成されていることを特徴とする超音波プローブ。
【手続補正２】
【補正対象書類名】明細書
【補正対象項目名】００３４
【補正方法】変更
【補正の内容】
【００３４】
【課題を解決するための手段】
上記目的を達成するために、本発明による超音波プローブは、超音波振動子と、この超音波振動子を保持するハウジングと、このハウジングに回転運動を伝達するフレキシブルシャフトと、このフレキシブルシャフトの外面を覆うシースと、上記ハウジング及び上記フレキシブルシャフトを含む回転部分と上記シースを回転自在に接続する軸受機構とを備えた体腔内挿入型の超音波プローブにおいて、上記軸受機構の内側回転部は上記ハウジングと一体に構成され、上記軸受機構の外側支持部材は上記シースを熱加工して形成されていることを特徴とする。
【手続補正３】
【補正対象書類名】明細書
【補正対象項目名】００３５
【補正方法】変更
【補正の内容】
【００３５】
したがって、本発明による超音波プローブは、超音波振動子と、この超音波振動子を保持するハウジングと、このハウジングに回転運動を伝達するフレキシブルシャフトと、このフレキシブルシャフトの外面を覆うシースと、上記ハウジング及び上記フレキシブルシャフトを含む回転部分と上記シースを回転自在に接続する軸受機構とを備えた体腔内挿入型の超音波プローブであって、上記軸受機構の内側回転部が上記ハウジングと一体に構成されており、上記軸受機構の外側支持部材は上記シースを熱加工して形成されている。これにより、軸受機構の構造を単純化を実現し、よって先端硬質部の短縮化及び超音波プローブの細径化をなし得ると共に、製造コストの削減に寄与し得ることになる。
【手続補正書】
【提出日】平成18年3月1日(2006.3.1)
【手続補正１】
【補正対象書類名】明細書
【補正対象項目名】００１９
【補正方法】変更
【補正の内容】
【００１９】
【発明の実施の形態】
本発明の歯科用石膏組成物は、フッ素樹脂粉末を含むことを特徴としており、その石膏スラリを各種印象剤、好ましくは各種水性コロイド印象剤からなる印象物に注入し、硬化することで、良好な表面平滑性を示す歯科用石膏模型を得る。
【手続補正書】
【提出日】平成18年3月8日(2006.3.8)
【手続補正１】
【補正対象書類名】明細書
【補正対象項目名】００２４
【補正方法】変更
【補正の内容】
【００２４】
ビデオデコーダ回路205は、タイミング回路204によって抽出された同期ワードを用いて、多重化デジタル映像信号から有効ライン1〜nを抽出する。ビデオデコーダ回路205は、抽出された有効ライン1〜nを信号処理回路206に送る。さらに、ビデオデコーダ回路205は、タイミング回路204によって抽出された同期ワードを用いて、多重化デジタル映像信号の前段垂直ブランキング期間からEEPROM106の内容、フリーズ制御信号、およびコピー制御信号の各データを抽出し、システムコントロール201に送る。
【手続補正書】
【提出日】平成18年3月31日(2006.3.31)
【手続補正１】
【補正対象書類名】明細書
【補正対象項目名】特許請求の範囲
【補正方法】変更
【補正の内容】
【特許請求の範囲】
【請求項１】
被検体の連続した複数のスライス位置を設定するスライス位置設定手段と、上記被検体の心電情報を取得する心電情報取得手段と、上記心電情報取得手段によって取得された心電情報から同一の心拍位相で前記検出器によって得られた投影データを収集する収集手段と、上記スライス位置設定手段によって設定された各スライス位置に照射されたＸ線のうちの透過Ｘ線を検出して投影データを得る検出器と、この検出器により得られた投影データを用いて前記被検体のスライス位置での断層撮影像を再構成する再構成手段と、上記再構成された断層撮影像を表示する手段と、を備えたＸ線ＣＴ装置において、
上記心電情報取得手段によって取得された心電情報の心拍位相とスキャン周期の位相を参照して前記投影データのディレイタイムを設定するディレイタイム設定手段と、
上記ディレイタイム設定手段によって設定されたディレイタイム経過後に、スライス位置に対応する同一投影角の対軸方向の不連続領域について前記収集手段によって収集された投影データを補間して当該不連続領域の投影データを求める補間手段と、
上記再構成手段は、上記補間手段によって求められた不連続領域の投影データを用いて前記被検体のスライス位置での断層撮影像を順次再構成し、
上記表示手段は、上記順次再構成された断層投影像を表示することを特徴とするＸ線ＣＴ装置。
【請求項２】
上記再構成に用いられる同一心時相の投影データにおいて、再構成が終了した投影データから次に再構成しようとする投影データへ順次入れ替える機能を有するバッファリング手段をさらに備えたことを特徴とする請求項１に記載のＸ線ＣＴ装置。
【手続補正２】
【補正対象書類名】明細書
【補正対象項目名】０００８
【補正方法】変更
【補正の内容】
【０００８】
本発明の目的は、心臓領域を撮影しながら心臓の画像を観察することができるようにしたＸ線ＣＴ装置を提供することにある。
【手続補正３】
【補正対象書類名】明細書
【補正対象項目名】０００９
【補正方法】変更
【補正の内容】
【０００９】
【課題を解決するための手段】
本発明は上記目的を達成するために、被検体の連続した複数のスライス位置を設定するスライス位置設定手段と、上記被検体の心電情報を取得する心電情報取得手段と、上記心電情報取得手段によって取得された心電情報から同一の心拍位相で前記検出器によって得られた投影データを収集する収集手段と、上記スライス位置設定手段によって設定された各スライス位置に照射されたＸ線のうちの透過Ｘ線を検出して投影データを得る検出器と、この検出器により得られた投影データを用いて前記被検体のスライス位置での断層撮影像を再構成する再構成手段と、上記再構成された断層撮影像を表示する手段と、を備えたＸ線ＣＴ装置において、上記心電情報取得手段によって取得された心電情報の心拍位相とスキャン周期の位相を参照して前記投影データのディレイタイムを設定するディレイタイム設定手段と、上記ディレイタイム設定手段によって設定されたディレイタイム経過後に、スライス位置に対応する同一投影角の対軸方向の不連続領域について前記収集手段によって収集された投影データを補間して当該不連続領域の投影データを求める補間手段と、上記再構成手段は、上記補間手段によって求められた不連続領域の投影データを用いて前記被検体のスライス位置での断層撮影像を順次再構成し、上記表示手段は、上記順次再構成された断層投影像を表示することを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
また請求項２に記載の本発明は、上記再構成手段に用いられる同一心時相の投影データにおいて、再構成が終了した投影データから次に再構成しようとする投影データへ順次入れ替える機能を有するバッファリング手段をさらに備えたことを特徴とする。
【手続補正６】
【補正対象書類名】明細書
【補正対象項目名】００１４
【補正方法】変更
【補正の内容】
【００１４】
次のステップＳ４では、心臓領域のＣＴ撮影を行う。このとき詳細な図示を省略しているが心電情報取得手段による心電情報から同一の心拍位相（心時相）の投影データを収集手段によって順次収集するようにし、上述した所定のディレイタイム経過後に既に設定した最初のスライス位置に対応する同一投影角の対軸方向の不連続領域を補間手段によって補間し、そのディレイタイム経過後に指定した最初のスライス位置に対応するものとして収集した投影データから断層撮影像をディレイタイム連動再構成手段によって再構成する。次のステップＳ５では、この再構成された断層撮影像を表示手段に表示する。スライス位置の数に応じて、ステップＳ４およびステップＳ５を繰り返してそれぞれのスライス位置の断層撮影像を表示手段に表示して行く。
【手続補正７】
【補正対象書類名】明細書
【補正対象項目名】００１８
【補正方法】変更
【補正の内容】
【００１８】
次に、ＥＣＧディレイタイムの決定と、このＥＣＧディレイタイムから決定した所定のディレイタイムを設定するディレイタイム設定手段について説明する。
図７に既に説明したようにスキャン周期は１．０秒間隔、また、併記した心電情報３からわかるように心拍周期は０．８秒間隔である。同図に示すように０．０秒位置からスタートした心拍とスキャンは４．０秒位置において心拍周期とスキャン周期は重なり合って同期することになる。この心電情報３の心拍位相とスキャン周期の位相が重なり合うまでに要する時間４．０秒に、後述する１つの収集領域の時間的な幅つまりセグメント幅２００ｍｓを加えた４．２秒がＥＣＧディレイタイムである。このＥＣＧディレイタイム４．２秒に基づいて所定のディレイタイム、ここでは望ましい所定時間として４．２秒を決定し、図示しないディレイタイム設定手段により図２に示すようにこのディレイタイムを設定する。上述した所定のディレイタイムの算出に際して心電情報３から心拍周期を得るが、この心拍周期は投影データに格納されたＲ波等を基準に算出するようにすることもできるし、被検体の心臓領域撮影する前に心電情報取得手段によって得ることもできる。
【手続補正８】
【補正対象書類名】明細書
【補正対象項目名】００２９
【補正方法】変更
【補正の内容】
【００２９】
以上本発明したように本発明のＸ線ＣＴ装置は、心臓領域を撮影しながら若干の所定のディレイタイム後に再構成を行うことができるようになり、心臓が静止しているかのような鮮明な心臓領域の断層撮影像を心臓領域の撮影を行いながら観察することができる。
【手続補正書】
【提出日】平成18年4月7日(2006.4.7)
【手続補正１】
【補正対象書類名】明細書
【補正対象項目名】０００３
【補正方法】変更
【補正の内容】
【０００３】
【特許文献１】特開２００１−２８９０３号公報
【手続補正２】
【補正対象書類名】明細書
【補正対象項目名】０００４
【補正方法】変更
【補正の内容】
【０００４】
【発明が解決しようとする課題】
上記のように従来の畦塗り機においては、作業部を回動させて前進作業位置と格納位置あるいは後進作業位置に移動させ、それぞれの位置で固定、または固定解除するという操作は、結構面倒であり、多くの時間と労力を要する、という解決すべき課題があった。
【手続補正３】
【補正対象書類名】明細書
【補正対象項目名】０００５
【補正方法】変更
【補正の内容】
【０００５】
本発明は、上記の課題を解決することを目的になされたもので、作業部を前進作業位置と格納位置あるいは後進作業位置に移動させる操作が容易に行え、しかも作業部の回動が安全に、かつ容易に行え、主フレームから作業部に動力伝達するクラッチが、作業部を前進作業位置または後進作業位置に移動させたときはほぼ自動的に接続状態となり、格納位置に移動させたときは自動的に切断状態となる畦塗り機を提供することを目的とする。
【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】  検体中の細菌を蛍光染色して試料を調製し、調製した試料中の各細菌から細菌の大きさ情報と、細菌の発する蛍光の強度を表わす蛍光情報とを検出し、検出された大きさ情報と蛍光情報とをパラメータとするスキャッタグラムを作成し、スキャッタグラム上の細菌の分布状態を解析し、解析結果に基づいて検体中の細菌の種類が桿菌であるか球菌であるかを判定する細菌測定方法。
【請求項２】  細菌の分布状態を解析する工程は、分布状態の傾きを求める工程を備え、判定する工程は、前記求めた分布状態の傾きに基づいて検体中の細菌の種類が桿菌であるか球菌であるかを判定する工程からなる請求項１に記載の細菌測定方法。
【請求項３】  分布状態の傾きを求める工程は、細菌の分布における最大分散方向を求め、最大分散方向の傾きを求めて分布状態の傾きとする、請求項２に記載の細菌測定方法。
【請求項４】  蛍光染色した試料をサンプリングするサンプリング部と、
サンプリングした試料中の各粒子から、粒子の大きさ情報を検出する大きさ情報検出器と、粒子の発する蛍光の強度を表わす蛍光情報を検出する蛍光情報検出器と、を備えた検出部と、
大きさ情報と蛍光情報とをパラメータとした粒子のスキャッタグラムを作成するスキャッタグラム作成部と、
スキャッタグラムから細菌の分布状態を解析する解析部と、
解析結果に基づいて検体中の細菌の種類が桿菌であるか球菌であるかを判定する判定部とからなる細菌測定装置。
【請求項５】  解析部は分布状態の傾きを求め、判定部は前記解析部が求めた分布状態の傾きに基づいて検体中の細菌の種類が桿菌であるか球菌であるかを判定する請求項４に記載の細菌測定装置。
【請求項６】  解析部は、細菌の分布における最大分散方向を求め、最大分散方向の傾きを求めて分布状態の傾きとする、請求項５に記載の細菌測定装置。
【請求項７】  検体をセットする検体セット部と、
蛍光染色試薬をセットする試薬セット部と、
検体と蛍光染色試薬を反応させ試料を調製する反応部と、
調製した試料中の各粒子から、粒子の大きさ情報を検出する大きさ情報検出器と、粒子の発する蛍光の強度を表わす蛍光情報を検出する蛍光情報検出器と、を備えた検出部と、
大きさ情報と蛍光情報とをパラメータとした粒子のスキャッタグラムを作成するスキャッタグラム作成部と、
スキャッタグラムから細菌の分布状態を解析する解析部と、
解析結果に基づいて検体中の細菌の種類が桿菌であるか球菌であるかを判定する判定部とからなる細菌測定装置。
【請求項８】  判定部の判定結果に応じた出力を行なうための出力部をさらに備える請求項７に記載の細菌測定装置。
【請求項９】  検体中の細菌を蛍光染色して調製した試料中の各細菌から、細菌の大きさ情報と、細菌の発する蛍光の強度を表わす蛍光情報とを検出し、大きさ情報と蛍光情報とをパラメータとするスキャッタグラムを作成する装置において、スキャッタグラム上の細菌の分布状態を解析し、解析結果に基づいて検体中の細菌の種類が桿菌であるか球菌であるかを判定する手順をコンピュータに実行させるプログラム。
【請求項１０】  検体中の細菌を蛍光染色して試料を調製し、調製した試料中の各細菌から細菌の大きさ情報と、細菌の発する蛍光の強度を表わす蛍光情報とを検出し、検出された大きさ情報と蛍光情報とを解析し、解析結果に基づいて検体中の細菌の種類が桿菌であるか球菌であるかを判定し、判定結果と、大きさ情報と蛍光情報をパラメータとするスキャッタグラムと、を表示する、細菌測定方法。
【手続補正２】
【補正対象書類名】明細書
【補正対象項目名】００１０
【補正方法】変更
【補正の内容】
【００１０】
さらにこの発明は、検体中の細菌を蛍光染色して調製した試料中の各細菌から、細菌の大きさ情報と、細菌の発する蛍光の強度を表わす蛍光情報とを検出し、大きさ情報と蛍光情報とをパラメータとするスキャッタグラムを作成する装置において、スキャッタグラム上の細菌の分布状態を解析し、解析結果に基づいて検体中の細菌の種類が桿菌であるか球菌であるかを判定する手順をコンピュータに実行させるプログラムを提供するものである。
またこの発明は、検体中の細菌を蛍光染色して試料を調製し、調製した試料中の各細菌から細菌の大きさ情報と、細菌の発する蛍光の強度を表わす蛍光情報とを検出し、検出された大きさ情報と蛍光情報とを解析し、解析結果に基づいて検体中の細菌の種類が桿菌であるか球菌であるかを判定し、判定結果と、大きさ情報と蛍光情報をパラメータとするスキャッタグラムと、を表示する、細菌測定方法を提供するものである。
【手続補正書】
【提出日】平成18年4月5日(2006.4.5)
【手続補正１】
【補正対象書類名】明細書
【補正対象項目名】特許請求の範囲
【補正方法】変更
【補正の内容】
【特許請求の範囲】
【請求項１】
体腔内に挿入される光プローブと、
被検部に光を照射するための光を発生する光源と、
前記光を前記被検部に集光して照射する集光手段と、
前記集光手段によって前記被検部を前記集光手段の光軸方向と直交する方向に走査する光走査手段と、
前記被検部からの戻り光を検出する光検出手段と、
前記集光手段と前記光走査手段を内側に収納する外筒部と、
前記集光手段の光軸方向または光軸方向と直交する方向のうち少なくとも１方向に沿って前記集光手段と前記光走査手段を前記外筒部に対して移動させる移動手段と、
前記移動手段の基準位置を前記外筒部内に固定する移動手段の基準位置固定手段と、
を有することを特徴とする光走査プローブ装置。
【請求項２】
前記基準位置固定手段は、前記移動手段の基準位置を変化させる可変機構を有することを特徴とする請求項１に記載の光走査プローブ装置。
【請求項３】
前記光プローブは、前記移動手段に接続され、細長で可撓性を有するシースを備え、
前記基準位置固定手段は、前記シースに設けられる膨張可能な弾性体であることを特徴とする請求項１または請求項２に記載の光走査プローブ装置。
【請求項４】
前記基準位置固定手段は、前記光プローブに設けられた位置決め手段と、
前記光プローブの先端部または前記光プローブの根元側の内視鏡チャンネルに挿入されない部分に設けられた付勢手段とからなることを特徴とする請求項１に記載の光走査プローブ装置。
【請求項５】
前記付勢手段は、気密が保持された弾性体であることを特徴とする請求項４に記載の光走査プローブ装置。
【手続補正２】
【補正対象書類名】明細書
【補正対象項目名】０００６
【補正方法】変更
【補正の内容】
【０００６】
【課題を解決するための手段】
本発明の一態様による光走査プローブ装置は、体腔内に挿入される光プローブと、被検部に光を照射するための光を発生する光源と、前記光を前記被検部に集光して照射する集光手段と、前記集光手段によって前記被検部を前記集光手段の光軸方向と直交する方向に走査する光走査手段と、前記被検部からの戻り光を検出する光検出手段と、前記集光手段と前記光走査手段を内側に収納する外筒部と、前記集光手段の光軸方向または光軸方向と直交する方向のうち少なくとも１方向に沿って前記集光手段と前記光走査手段を前記外筒部に対して移動させる移動手段と、前記移動手段の基準位置を外筒部内に固定する移動手段の基準位置固定手段と、を有する。
【手続補正書】
【提出日】平成17年12月16日(2005.12.16)
【手続補正１】
【補正対象書類名】明細書
【補正対象項目名】０００４
【補正方法】変更
【補正の内容】
【０００４】
【特許文献１】特公昭６３−１４６１６号公報
【手続補正２】
【補正対象書類名】明細書
【補正対象項目名】０００７
【補正方法】変更
【補正の内容】
【０００７】
【発明の実施の形態】
以下、本発明の肌の透明性の評価方法を、その好ましい実施形態に基づいて、図面を参照しながら説明する。なお以下の説明は、ＪＩＳ  Ｚ８７２２での表記（照射角／受光過度）でいうｄ／８°（ｄは拡散光）なる光学系に基づいて行うが、他の光学系を用いても差し支えない。
【手続補正書】
【提出日】平成18年3月31日(2006.3.31)
【手続補正１】
【補正対象書類名】明細書
【補正対象項目名】発明の名称
【補正方法】変更
【補正の内容】
【発明の名称】管内壁への塗布方法及び管内壁の塗布膜の乾燥方法
【手続補正２】
【補正対象書類名】明細書
【補正対象項目名】特許請求の範囲
【補正方法】変更
【補正の内容】
【特許請求の範囲】
【請求項１】
塗布液を管状構造体の管内壁に塗布する方法であって、
前記管状構造体の長手方向に垂直な管断面の内寸法より小さい外寸法形状を有する浮動子を前記管状構造体の内部に挿入して、
前記管状構造体の外周部側より前記浮動子に作用する力を発生する手段によって、前記管状構造体の内部での浮動子の位置、搖動又は回転動作を制御することにより、
前記塗布液を前記管状構造体内壁に塗布することを特徴とする管内壁への塗布方法。
【請求項２】
前記管状構造体の外部側から前記管状構造体の内部に挿入された浮動子に作用する力を発生する手段が、磁気力である請求項１に記載の管内壁への塗布方法。
【請求項３】
前記管状構造体の外部側から前記管状構造体の内部に挿入された浮動子に作用する力を伝達する手段が、前記管状構造体の内部に挿入された浮動子に細線を接続し、前記細線を前記管状構造体の少なくとも一方の開口側より引き出された細線に機械的張力を作用して、前記管状構造体の内部における浮動子の位置、揺動または回転動作を制御する請求項１に記載の管内壁への塗布方法。
【請求項４】
請求項１に記載の管内壁への塗布方法により、前記管状構造体の内壁面に塗布液を塗布し、
前記管状構造体の外部側にて発生する電磁誘導による電磁界によって、前記管状構造体内部にある浮動子に作用して、前記浮動子を所望の温度になるように加熱制御させるとともに、
前記管状構造体の少なくとも一方の管開口側より気体を導入することを特徴とする管内壁の塗布膜の乾燥方法。
【請求項５】
前記管状構造体の下端の開口側より気体を導入して、その流量もしくは圧力を制御することで加熱された前記浮動子の位置を制御し、前記浮動子の表面に形成した気体の流通路により浮動子を搖動または回転運動をさせる請求項４に記載の管内壁の塗布膜の乾燥方法。
【手続補正３】
【補正対象書類名】明細書
【補正対象項目名】００１１
【補正方法】変更
【補正の内容】
【００１１】
【発明が解決しようとする手段】
前記目的を達成するため、本発明の管内壁への塗布方法は、塗布液を管状構造体の管内壁に塗布する方法であって、
前記管状構造体の長手方向に垂直な管断面の内寸法より小さい外寸法形状を有する浮動子を前記管状構造体の内部に挿入して、
前記管状構造体の外周部側より前記浮動子に作用する力を発生する手段によって、前記管状構造体の内部での浮動子の位置、搖動又は回転動作を制御することにより、
前記塗布液を前記管状構造体内壁に塗布することを特徴とする。
【手続補正４】
【補正対象書類名】明細書
【補正対象項目名】００１２
【補正方法】変更
【補正の内容】
【００１２】
次に本発明の管内壁の塗布膜の乾燥方法は、請求項１に記載の管内壁への塗布方法により、前記管状構造体の内壁面に塗布液を塗布し、
前記管状構造体の外部側にて発生する電磁誘導による電磁界によって、前記管状構造体内部にある浮動子に作用して、前記浮動子を所望の温度になるように加熱制御させるとともに、
前記管状構造体の少なくとも一方の管開口側より気体を導入することを特徴とする。
【手続補正５】
【補正対象書類名】明細書
【補正対象項目名】００３３
【補正方法】変更
【補正の内容】
【００３３】
そして、浮動子３４が下方向へ回転落下するときに、ガラス管２９の内壁４３と浮動子３４との隙間４５を通って流動する塗布液２７は、ガラス管２９の壁面４３へ付着され、膜４６が形成される。ここで注意しなければならないのは、浮動子の回転速度や落下速度が適正に制御されないと、ガラス管内壁全面での厚みにバラツキが生じ、所望の膜厚と異なった塗布膜が形成されてしまうことである。
【手続補正書】
【提出日】平成18年3月29日(2006.3.29)
【手続補正１】
【補正対象書類名】明細書
【補正対象項目名】請求項１
【補正方法】変更
【補正の内容】
【請求項１】  請求項１：カチオン系高分子凝集剤と石炭灰、或いは製紙スラッジ焼却灰等から合成したフィリップサイト、A型ゼオライトを主組成とした人工ゼオライトからなる固体系排水処理剤【手続補正２】
【補正対象書類名】明細書
【補正対象項目名】０００４
【補正方法】変更
【補正の内容】
【０００４】発生するスラッジの含水率を低下させるためには、スラリー脱水時にカチオン系高分子凝集剤をスラリーに混入することにより、ある程度は達成できる。しかしそのためには脱水前にカチオン系高分子凝集剤添加槽が必要であり、凝集沈殿システムをさらに煩雑なものにしている。これを解決する為には、排水処理時の凝集剤にカチオン系高分子凝集剤を使用すればよいが、現状の硫酸バンド、ＰＡＣ／ＮａＯＨを使用している限り、アニオン系高分子凝集剤が不可欠である。ここでカチオン系高分子凝集剤を使用できるためには、高分子凝集剤の添加前に生成される微細フロック（硫酸バンド、ＰＡＣにより生成される）のゼータ電位をマイナスに帯電させる必要がある。（硫酸バンド、又はＰＡＣにより生成されるプラスに帯電している）これを実現するために、マイナスのゼータ電位を有した人工ゼオライトを凝集剤中に使用することにより、それが可能であり、人工ゼオライト／カチオン系高分子凝集剤の組み合わせが凝集剤システムのひとつとなり得る。又、人工ゼオライトは有機物を吸着する機能を有するために排水中のCOD/BOD低減にも、かつ硫酸アルミニウム又は塩化鉄/人工ゼオライト/消石灰/カチオン系高分子凝集剤の粉末状のものを所定の割合で混合したものは従来方式の３槽もの反応槽を必要とせず、１槽で済み、凝集沈殿システムの簡素化に役立つと言える。（図―２参照）ここで人工ゼオライトのうち、フィリプサイト、A型ゼオライトに限定したのは、以下の理由による。一般的に石炭灰等の焼却灰から合成されるゼオライト鉱物には上記フィリプサイト、A型ゼオライトのほかにアナルサイム、ハイドロキシソーダライト等があるが、アナルサイムはCOD等の吸着機能、イオン交換機能が劣り、ハイドロキシソーダライトはイオン交換機能が劣るためであり、したがってこれらを凝集剤と使用してもゼオライトの効用が顕著に現れないためである。又、フィリプサイト、A型ゼオライトはゼータ電位のマイナス値がより高く、カチオン系高分子凝集剤との組み合わせが良好のためである。即ち、アナルサイム、ハイドロキシソーダライトはマイナスゼーター電位がさほど高くなく、カチオン系高分子凝集剤との組み合わせがよくなく「、カチオン系高分子凝集剤の欠点が生ずるために、フィリプサイト、A型ゼオライトに限定した。
【手続補正書】
【提出日】平成17年11月16日(2005.11.16)
【手続補正１】
【補正対象書類名】明細書
【補正対象項目名】００１０
【補正方法】変更
【補正の内容】
【００１０】
【表１】
2004305098.tif 000001
【手続補正２】
【補正対象書類名】明細書
【補正対象項目名】００１３
【補正方法】変更
【補正の内容】
【００１３】
乾燥地への植林において、まず問題となるのは、地下浅くに存在する不透水層、いわゆるハードパン（非特許文献１）である。ハードパンは地下浅く、すなわち地表近くに存在し、ケイ素、鉄、カルシウム化合物が水和硬化して形成された硬い層であるため（非特許文献２）、苗を植え付ける穴を掘削することが困難である。また、耕作機械等を用いて適当な穴を形成できても、その穴に植林された苗は根を張ることが出来ず、成長できない。
【手続補正３】
【補正対象書類名】明細書
【補正対象項目名】００３７
【補正方法】変更
【補正の内容】
【００３７】
【表３】
2004305098.tif 000002
【手続補正４】
【補正対象書類名】明細書
【補正対象項目名】００３９
【補正方法】変更
【補正の内容】
【００３９】
樹木の種別では、Ｃ． ＯｂｅｓａとＥ． ｃａｍａｌｄｕｌｅｎｓｉｓの成長が特に早かった。一方、Ａ． ａｎｅｕｒａの成長速度は前記の２種類に比較すると低く、他のＥｕｃａｌｙｐｔｕｓ種と同程度であった。また、Ａ． ａｎｅｕｒａ樹木の成長速度は、第５ポンド（２−５）とそれ以外のポンド（２−１〜４および２−６〜１２）との間でも、大きな差が見られなかった。このような結果の要因としては、Ａ． ａｎｅｕｒａが浅い表層土において水平方向に根を伸ばす点が挙げられる。
〔根の伸張〕
それぞれの樹木の片側の土壌とハードパンの塊を破壊し、根を切断しないように水圧を用いて除去した。露出した根の様子を撮影し、直径を測定して全量を推定した後、根の根元における直径と根の全量との間の関係を得た。なお、調査後は、根を再び土壌で覆い、水を与えた。
【手続補正書】
【提出日】平成18年3月31日(2006.3.31)
【手続補正１】
【補正対象書類名】明細書
【補正対象項目名】特許請求の範囲
【補正方法】変更
【補正の内容】
【特許請求の範囲】
【請求項１】  高速道路等のセンター部分等に設けられている植栽を刈り取る植栽の刈取方法において、車両にて該車両を走行させながら、前記植栽の刈り取りを行い、次いで刈り取られた木片等を吸引して袋詰めし、かつ、前記車両に複数の標識塔を牽引させることを特徴とする植栽の刈取方法。
【請求項２】  植栽を刈り取る自動刈取装置と、該自動刈取装置にて刈り取られた木片等を吸引する吸引装置と、作業員が地面上の雑草を刈り取るための作業台と、前記吸引装置にて集められた木片等を袋詰めする袋詰装置とを搭載し、該袋詰装置にて形成された袋を収納する収集車を牽引する植栽刈取車両であって、後続車両として、車線変更させる状態に複数連接された、標識塔を具備した可動台が前記収集車に装着されていることを特徴とする植栽刈取車両。
【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】
チアミン又はその塩、多価フェノール化合物及びベンズアルデヒドを配合することを特徴とする飲料組成物。
【請求項２】
多価フェノール化合物が没食子酸及びその誘導体、緑茶ポリフェノール、リンゴポリフェノール、緑茶抽出物、リンゴ抽出物から選ばれる一種又は二種以上である請求項１に記載の飲料組成物。
【請求項３】
ｐＨが２〜６である請求項１又は２に記載の飲料組成物。
【請求項４】
チアミン又はその塩１質量部に対して多価フェノールを０．０３〜１０質量部、ベンズアルデヒドを０．０２〜１０質量部配合することを特徴とする請求項１〜３のいずれか１項に記載の飲料組成物。
【請求項５】
チアミン又はその塩を配合した飲料組成物において、多価フェノール及びベンズアルデヒドを添加することを特徴とする、該飲料組成物の経時的な不快臭を低減させる方法。
【請求項６】
チアミン又はその塩を配合した飲料組成物の不快臭を低減させるための多価フェノールおよびベンズアルデヒドの使用。
【請求項７】
多価フェノール及びベンズアルデヒドを配合することを特徴とする、チアミン又はその塩を配合した飲料組成物用の不快臭低減化剤。
【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】  遊技者に提供するための情報を出力可能な遊技機であって、
所定のタイミングで情報出力に関する抽選を行う抽選手段と、
その抽選手段による抽選結果に基づいて情報出力を行う情報出力手段と、
を備えたことを特徴とする遊技機。
【請求項２】  前記抽選手段は、特定の遊技状態が発生した場合に抽選を行うことを特徴とする請求項１に記載の遊技機。
【請求項３】  前記抽選手段は、特定の遊技状態が終了した場合に抽選を行うことを特徴とする請求項１に記載の遊技機。
【請求項４】  前記抽選手段は、出力情報の内容を決定するための抽選を行うことを特徴とする請求項１乃至３のいずれかに記載の遊技機。
【請求項５】  前記抽選手段による抽選を実行するために遊技者によって操作される操作手段、
を備え、
前記抽選手段は、前記操作手段が操作されたタイミングに基づいて抽選結果を決定することを特徴とする請求項１乃至４のいずれかに記載の遊技機。
【請求項６】  前記抽選手段は、遊技機の主制御を行うためのメイン基板とは別個に設けられ且つ前記メイン基板からの出力専用の通信線によって接続されたサブ基板上に設けられたことを特徴とする請求項１乃至５のいずれかに記載の遊技機。
【請求項７】  前記抽選手段による抽選の実行を演出するための抽選演出手段、
を備えたことを特徴とする請求項１乃至６のいずれかに記載の遊技機。
【手続補正書】
【提出日】平成18年3月31日(2006.3.31)
【手続補正１】
【補正対象書類名】明細書
【補正対象項目名】特許請求の範囲
【補正方法】変更
【補正の内容】
【特許請求の範囲】
【請求項１】  表示状態が変化可能な複数の表示領域を有する可変表示手段を備え、前記複数の表示領域に導出表示される表示結果が所定の表示態様となった場合に、所定の入賞が発生する遊技機であって、
前記遊技機は、
遊技者の操作入力を契機として、遊技状態を遊技者にとって有利な状態とする特別遊技役と、当該特別遊技役に比べて遊技者にとっての有利度合いが低い小役および他の役と、を含む複数の役の中からいずれかが決定される抽選を行い、
前記特別遊技役が入賞することにより前記特別遊技役に対応した特別遊技状態に移行して当該特別遊技状態が終了した際には、所定の移行抽選に当選することを条件として、複数の遊技にわたって前記抽選において内部的に成立した役の入賞の成立を支援するための参考情報が告知される第１の報知遊技状態へ移行するように構成されるとともに、前記他の役が入賞した際には、前記移行抽選を経ずして、複数の遊技にわたって前記参考情報が告知される第２の報知遊技状態へ移行するように構成されており、かつ、
前記第１の報知遊技状態における遊技数および前記第２の報知遊技状態における遊技数はそれぞれ、複数種類の遊技数と乱数値とが関連付けられた第１のＡＴゲーム数抽選テーブルおよび第２のＡＴゲーム数抽選テーブルを参照する乱数抽選により決定されるとともに、第２のＡＴゲーム数抽選テーブルに基づく遊技回数の期待値は、第１のＡＴゲーム数抽選テーブルに基づく遊技回数の期待値よりも大とされていることを特徴とする遊技機。
【手続補正２】
【補正対象書類名】明細書
【補正対象項目名】００１２
【補正方法】変更
【補正の内容】
【００１２】
【課題を解決するための手段】
上記目的を達成するため、第１の観点に係る本発明は、表示状態が変化可能な複数の表示領域を有する可変表示手段を備え、前記複数の表示領域に導出表示される表示結果が所定の表示態様となった場合に、所定の入賞が発生する遊技機であって、前記遊技機は、遊技者の操作入力を契機として、遊技状態を遊技者にとって有利な状態とする特別遊技役と、当該特別遊技役に比べて遊技者にとっての有利度合いが低い小役および他の役と、を含む複数の役の中からいずれかが決定される抽選を行い、前記特別遊技役が入賞することにより前記特別遊技役に対応した特別遊技状態に移行して当該特別遊技状態が終了した際には、所定の移行抽選に当選することを条件として、複数の遊技にわたって前記抽選において内部的に成立した役の入賞の成立を支援するための参考情報が告知される第１の報知遊技状態へ移行するように構成されるとともに、前記他の役が入賞した際には、前記移行抽選を経ずして、複数の遊技にわたって前記参考情報が告知される第２の報知遊技状態へ移行するように構成されており、かつ、前記第１の報知遊技状態における遊技数および前記第２の報知遊技状態における遊技数はそれぞれ、複数種類の遊技数と乱数値とが関連付けられた第１のＡＴゲーム数抽選テーブルおよび第２のＡＴゲーム数抽選テーブルを参照する乱数抽選により決定されるとともに、第２のＡＴゲーム数抽選テーブルに基づく遊技回数の期待値は、第１のＡＴゲーム数抽選テーブルに基づく遊技回数の期待値よりも大とされていることを特徴とする。
【手続補正書】
【提出日】平成18年4月10日(2006.4.10)
【手続補正１】
【補正対象書類名】明細書
【補正対象項目名】特許請求の範囲
【補正方法】変更
【補正の内容】
【特許請求の範囲】
【請求項１】
ノズルを用いて基板の表面に溶液を噴射塗布する塗布装置において、
上記ノズルが形成されたヘッドと、
上記溶液の非塗布時に、上記ヘッドのノズル面に対向して配置され、上記ノズルから流下する溶液を受けて上記ノズル面との間に溜める対向板と、
を具備することを特徴とする塗布装置。
【請求項２】
上記ノズル面と対向板の間に溜められた溶液に向けて不活性ガスを噴射するためのガス噴射ノズルを備えたことを特徴とする請求項１記載の塗布装置。
【請求項３】
上記対向板の上面には、上記ノズルから流下した溶液を案内するための案内溝が形成されていることを特徴とする請求項１または２に記載の塗布装置。
【手続補正２】
【補正対象書類名】明細書
【補正対象項目名】００６８
【補正方法】変更
【補正の内容】
【００６８】
図９と図１０に示すように、取付部材５１の上面には、上記溶剤を貯えた上述の洗浄槽７３が設けられている。洗浄槽７３の両側には、それぞれ案内レール７５がほぼ垂直に立設されており、ワイピング部材７１が固定されたアーム７６を上下方向に移動可能、かつ軸心線周りに回転可能に支持している。
【手続補正３】
【補正対象書類名】明細書
【補正対象項目名】００６９
【補正方法】変更
【補正の内容】
【００６９】
アーム７６は、上下シリンダ（不図示）と駆動モータ（不図示）を有しており、上下シリンダを駆動すると、各ワイピング部材７１が上下に移動し、駆動モータを駆動すると、ワイピング部材７１がアーム７６の軸心線周りに回転するようになっている。
【手続補正書】
【提出日】平成18年2月6日(2006.2.6)
【手続補正１】
【補正対象書類名】明細書
【補正対象項目名】００１７
【補正方法】変更
【補正の内容】
【００１７】
本発明に使用される低密度ＰＥは高圧重合法で製造されたものであり密度は０．９１〜０．９３ｇ／ｃｍ3、好適には０．９１５〜０．９２６ｇ／ｃｍ3が望ましい。低密度ＰＥの配合量が３重量部未満の場合ドローレゾナンスが生じ、原反成形速度３０ｍ／分以上の速度で成形できない。また４０重量部を超えると充分な透湿度が得られない。
【手続補正２】
【補正対象書類名】明細書
【補正対象項目名】００２２
【補正方法】変更
【補正の内容】
【００２２】
本発明において炭酸カルシウムはエチレン−プロピレンブロック共重合体１００重量部に対し、低密度ＰＥ３〜４０重量部及びエチレン−酢酸ビニル共重合体５〜４０重量部からなるＰＰ系樹脂組成物１００重量部に対し、１００〜２００重量部、好適には１２０〜１５０重量部が配合される。炭酸カルシウムの配合割合が１００重量部未満では連通孔の形成が困難となり透湿度が低下する。また２００重量部より多い場合は、透湿性は向上するが、高速生産性、機械特性が低下し所定の物性のフィルムは得られない。
【手続補正３】
【補正対象書類名】明細書
【補正対象項目名】００４３
【補正方法】削除
【補正の内容】
【手続補正４】
【補正対象書類名】明細書
【補正対象項目名】００４７
【補正方法】変更
【補正の内容】
【００４７】
【表１】
2001181425.tif 000001